(57)【特許請求の範囲】
【請求項１】
内部に流体通路を有している流体流通ソケット本体の先端部に、その半径方向に貫通する貫通孔部が設けられ、この貫通孔部にロックボールが径方向に可動自在に収容され、前記流体流通ソケット本体の先端部内周にはカラーがカラー付勢スプリングの付勢で前進位置にあるとき前記ロックボールが求心方向に移動しないように支え後退して前記ロックボールの支えを解放するように設けられ、前記流体流通ソケット本体の先端部外周にはスリーブがその待機状態ではスリーブ付勢スプリングによる先端方向への移動を前記ロックボールで阻止されて待機位置に存在すると共に前記ロックボールが求心方向に移動した際には前進移動してその内周面に形成された押圧面で前記ロックボールを押さえ遠心方向への移動を阻止するように設けられて構成される流体流通ソケットと、内部に流体通路を有している流体流通プラグ本体の外周に、前記ロックボールを係合するロックボール係合溝が設けられて構成され前記流体流通ソケットに嵌合接続される流体流通プラグとからなり、前記スリーブ付勢スプリングは前記スリーブの外周に設けられ、また、前記流体流通ソケット本体の先端部外周に設けられたスリーブの内周面に形成された押圧面が前進方向に向かって漸次大径となるテーパー面に形成され、また、前記流体流通ソケット本体内周面には奥方向に向かって漸次小径となるテーパー面が形成され、そして前記流体流通プラグ本体の外周面には流体流通ソケットとの接続時に前記流体流通ソケット本体内周面に形成されたテーパー面に係合する先端方向に向かって漸次小径となるテーパー面が形成され、更に、前記流体流通プラグ本体の外周には、前記流体流通ソケットと前記流体流通プラグとの接続状態で流体流通ソケット本体のスリーブの外周を覆うカバーが軸方向に摺動自在で且つ回転自在にしかも抜け止めされて設けられ、該カバーの内周には雌ネジが設けられ、そして前記流体流通ソケット本体のスリーブの外周には前記カバーの雌ネジと螺合する雄ネジが設けられていることを特徴とする管継手。
【請求項２】
前記流体流通プラグ本体の外周に設けられたカバーは、前記流体流通ソケットと前記流体流通プラグとの接続状態で流体流通ソケット本体のスリーブの外周及びこのスリーブの外周に設けられた前記スリーブ付勢スプリングを覆うものであることを特徴とする請求項１に記載の管継手。
【請求項３】
それぞれ内部に流体通路を有して嵌合接続される流体流通ソケットと流体流通プラグとを備えた管継手において、前記流体流通ソケットには機械的に結合されてロック用ソケットが並設され、また、前記流体流通プラグには機械的に結合されて前記ロック用ソケットに嵌合接続されるロック用プラグが並設され、前記流体流通ソケットに前記流体流通プラグを挿入するとともに前記ロック用ソケットにロック用プラグを挿入することにより、前記ロック用ソケットとロック用プラグを介して前記流体流通ソケットと前記流体流通プラグのが接続状態が保持される管継手であって、前記流体流通ソケットに並設された前記ロック用ソケットは筒状のロック用ソケット本体を備え、該ロック用ソケット本体の先端部にはその半径方向に貫通する貫通孔部が設けられ、この貫通孔部にロックボールが径方向に可動自在に収容され、前記ロック用ソケット本体の先端部内周には、カラーが、カラー付勢スプリングによる前進方向への付勢で前進して前進位置にあり、前記ロック用ソケットへ挿入する前記ロック用プラグに押されて後退し、前進位置にあるとき前記ロックボールが求心方向に移動しないようにボールを支え後退により前記ロックボールの支えを解放するように設けられ、前記ロック用ソケット本体の先端部外周にはスリーブがその待機状態ではスリーブ付勢スプリングによる先端方向への移動を前記ロックボールで阻止されて待機位置に存在すると共に、前記ロックボールが求心方向に移動した際には前進移動してその内周面に形成された押圧面で前記ロックボールを押さえ遠心方向への移動を阻止するように設けられて構成され、また、前記流体流通プラグに並設された前記ロック用プラグは筒状のロック用プラグ本体を備え、該ロック用プラグ本体の外周に、前記ロックボールを係合するロックボール係合溝が設けられて構成され、前記ロック用ソケット本体の先端部外周に設けられたスリーブの内周面に形成された押圧面が前進方向に向かって漸次大径となるテーパー面に形成され、また、前記ロック用ソケット本体又はロック用ソケット本体の後部に螺合されたアダプタの内周面には奥方向に向かって漸次小径となるテーパー面が形成され、そして前記ロック用プラグ本体の外周面にはロック用ソケットとの接続時に前記ロック用ソケット本体又はアダプタの内周面に形成されたテーパー面に係合する先端方向に向かって漸次小径となるテーパー面が形成され、更に、前記ロック用ソケット本体のスリーブの外周又はロック用プラグ本体の外周には、前記ロック用ソケットと前記ロック用プラグとの接続状態で前記スリーブの先端外周を覆うカバーが軸方向に摺動自在で且つ回転自在にしかも抜け止め支持されて設けられ、前記カバーの先端内周には雌ネジが設けられ、そして前記ロック用プラグ本体の外周又はロック用ソケット本体のスリーブの外周には前記カバーの前記雌ネジを螺合させる雄ネジが設けられていることを特徴とする管継手。
【請求項４】
前記流体流通ソケットと前記ロック用ソケットには壁に取り付けられる固定手段がそれぞれ設けられ、前記流体流通プラグと前記ロック用プラグには水栓に対する連結部材がそれぞれ設けられていることを特徴とする請求項３に記載の管継手。
【請求項５】
それぞれ内部に流体通路を有しており相互に位置の変わらないように配置される第１，第２の流体流通ソケットと、内部に流体通路を有しており前記第１，第２の流体流通ソケットと嵌合接続される第１，第２の流体流通プラグとを備えた管継手において、前記第１，第２の流体流通ソケットには機械的に結合されてロック用ソケットが並設され、また、前記第１，第２の流体流通プラグはこれらに跨って取り付けられた支持部材により支持され、そして該支持部材には前記第１，第２の流体流通ソケットに前記第１，第２の流体流通プラグを嵌合接続したとき、前記ロック用ソケットに嵌合接続されるロック用プラグが前記ロック用ソケットに対応させて設けられた管継手であって、前記第１，第２の流体流通ソケットに並設された前記ロック用ソケットは筒状のロック用ソケット本体を備え、該ロック用ソケット本体の先端部にはその半径方向に貫通する貫通孔部が設けられ、この貫通孔部にロックボールが径方向に可動自在に収容され、前記ロック用ソケット本体の先端部内周には、カラーが、カラー付勢スプリングによる前進方向への付勢で前進して前進位置にあり、前記ロック用ソケットへ挿入する前記ロック用プラグに押されて後退し、前進位置にあるとき前記ロックボールが求心方向に移動しないようにボールを支え後退により前記ロックボールの支えを解放するように設けられ、前記ロック用ソケット本体の先端部外周にはスリーブがその待機状態ではスリーブ付勢スプリングによる先端方向への移動を前記ロックボールで阻止されて待機位置に存在すると共に前記ロックボールが求心方向に移動した際には前進移動してその内周面に形成された押圧面で前記ロックボールを押さえ遠心方向への移動を阻止するように設けられて構成され、また、前記第１，第２の流体流通プラグに跨って取り付けられた支持部材に設けられた前記ロック用プラグは筒状のロック用プラグ本体を備え、該ロック用プラグ本体の先端部の外周に、前記ロックボールを係合するロックボール係合溝が設けられて構成され、前記ロック用ソケット本体の先端部外周に設けられたスリーブの内周面に形成された押圧面が前進方向に向かって漸次大径となるテーパー面に形成され、また、前記ロック用ソケット本体又はロック用ソケット本体の後部に螺合されたアダプタの内周面には奥方向に向かって漸次小径となるテーパー面が形成され、そして前記ロック用プラグ本体の外周面にはロック用ソケットとの接続時に前記ロック用ソケット本体又はアダプタの内周面に形成されたテーパー面に係合する先端方向に向かって漸次小径となるテーパー面が形成され、更に、前記ロック用ソケット本体のスリーブの外周又はロック用プラグ本体の外周には、前記ロック用ソケットと前記ロック用プラグとの接続状態で前記スリーブの先端外周を覆うカバーが軸方向に摺動自在で且つ回転自在にしかも抜け止め支持されて設けられ、前記カバーの先端内周には雌ネジが設けられ、そして前記ロック用プラグ本体の外周又はロック用ソケット本体のスリーブの外周には前記カバーの前記雌ネジを螺合させる雄ネジが設けられていることを特徴とする管継手。
【請求項６】
前記第１，第２の流体流通ソケットと前記ロック用ソケットには壁に取り付けられる固定手段がそれぞれ設けられ、前記第１，第２の流体流通プラグには水栓に対する連結部材が設けられていることを特徴とする請求項５に記載の管継手。
【発明の詳細な説明】
【０００１】
【発明の属する技術分野】
本発明は、例えば水栓等の接続に用いて好適な管継手に関するものである。
【０００２】
【従来の技術】
従来、水栓の接続は、壁内の配管の雌ネジ孔部に、水栓側の配管の雄ネジ部をシール材を介して螺合することにより行っていた。
【０００３】
【発明が解決しようとする課題】
しかしながら、このような接続構造では、非常に手数がかかり、また接続作業にも時間がかかる問題点があった。
【０００４】
本発明の目的は、接続をプラグインによるワンタッチ形式で行うことができ、接続時のがたつきが押さえられ、しかも簡単に接続が外れないように保護することができる管継手を提供することにある。
【０００５】
本発明の他の目的は、水栓の接続をプラグインによるワンタッチ形式で行うことができ、しかも簡単に接続が外れないように保護することができる管継手を提供することにある。
【０００６】
本発明の他の目的は、プラグインによるワンタッチ形式の接続を低コストで行うことができ、しかも簡単に接続が外れないように保護することができる管継手を提供することにある。
本発明の他の目的は、水と湯のような異なる流体の通路の接続をプラグインによるワンタッチ形式で行うことができ、しかも簡単に接続が外れないように保護することができる管継手を提供することにある。
本発明の他の目的は、水と湯が供給される水栓の接続をプラグインによるワンタッチ形式で行うことができ、しかも簡単に接続が外れないように保護することができる管継手を提供することにある。
本発明の他の目的は、流体流通ソケットの流体通路を塞ぐことにより盲栓としても使用できる管継手を提供することにある。
【０００７】
【課題を解決するための手段】
請求項１に記載の発明は、内部に流体通路を有している流体流通ソケット本体の先端部に、その半径方向に貫通する貫通孔部が設けられ、この貫通孔部にロックボールが径方向に可動自在に収容され、前記流体流通ソケット本体の先端部内周にはカラーがカラー付勢スプリングの付勢で前進位置にあるとき前記ロックボールが求心方向に移動しないように支え後退して前記ロックボールの支えを解放するように設けられ、前記流体流通ソケット本体の先端部外周にはスリーブがその待機状態ではスリーブ付勢スプリングによる先端方向への移動を前記ロックボールで阻止されて待機位置に存在すると共に前記ロックボールが求心方向に移動した際には前進移動してその内周面に形成された押圧面で前記ロックボールを押さえ遠心方向への移動を阻止するように設けられて構成される流体流通ソケットと、内部に流体通路を有している流体流通プラグ本体の外周に、前記ロックボールを係合するロックボール係合溝が設けられて構成され前記流体流通ソケットに嵌合接続される流体流通プラグとからなり、前記スリーブ付勢スプリングは前記スリーブの外周に設けられ、また、前記流体流通ソケット本体の先端部外周に設けられたスリーブの内周面に形成された押圧面が前進方向に向かって漸次大径となるテーパー面に形成され、また、前記流体流通ソケット本体内周面には奥方向に向かって漸次小径となるテーパー面が形成され、そして前記流体流通プラグ本体の外周面には流体流通ソケットとの接続時に前記流体流通ソケット本体内周面に形成されたテーパー面に係合する先端方向に向かって漸次小径となるテーパー面が形成され、更に、前記流体流通プラグ本体の外周には、前記流体流通ソケットと前記流体流通プラグとの接続状態で流体流通ソケット本体のスリーブの外周を覆うカバーが軸方向に摺動自在で且つ回転自在にしかも抜け止めされて設けられ、該カバーの内周には雌ネジが設けられ、そして前記流体流通ソケット本体のスリーブの外周には前記カバーの雌ネジと螺合する雄ネジが設けられていることを特徴とする。
【０００８】
かかる構成から、流体流通ソケット本体の先端部に流体流通プラグ本体の先端部を挿入すると、前進位置にあるカラーが流体流通プラグ本体の先端部で押されて後退しロックボールの支えを解放し、流体流通プラグ本体の外周に形成されたロックボール係合溝がロックボールの位置に達すると、ロックボールが求心方向に移動して前記ロックボール係合溝に係合し、このロックボールの求心方向への移動によりスリーブが前進移動してその内周面に形成された押圧面で前記ロックボールを押さえ遠心方向への移動を阻止し、これにより、流体流通ソケットと流体流通プラグとが接続される。そして、この接続時に、前記ロックボールを求心方向に押さえるスリーブの内周面に形成された押圧面前が進方向に向かって漸次大径となるテーパー面に形成されているので、ロックボールは前進方向に付勢されているスリーブの前記テーパー面に形成された押圧面により常に求心方向への押圧を受けた状態にあり、そして、前記流体流通ソケット本体内周面に形成された奥方向に向かって漸次小径となるテーパー面には前記流体流通プラグ本体の外周面に形成された先端方向に向かって漸次小径となるテーパー面が係合し、これにより、接続時における流体流通ソケットと流体流通プラグとのがたつきが押さえられる。更に、前記接続後、前記流体流通プラグ本体の外周又は流体流通ソケット本体のスリーブの外周に設けられたカバーの内周に設けられた雌ネジと前記流体流通ソケット本体のスリーブの外周に設けられた雄ネジ又は流体流通プラグ本体の外周に設けられた雄ネジを螺合し、カバーが抜け止め位置に達するまで螺合すると、前記スリーブはカバーによって覆われて保護され、そしてスリーブはカバーの螺合を解かない限り後退できず確実な接続状態が得られる。更に、この状態から更にカバーの螺合を続けると、前記スリーブが先端側に引き寄せられ、これによりロックボールは漸次小径となるスリーブの前記テーパー面に形成された押圧面により更に強く求心方向に押圧されて流体流通プラグ本体のロックボール係合溝に強く圧接係合することになり、また、流体流通プラグ本体も相対的に前進方向に押し込まれ、流体流通プラグ本体の外周面に形成された先端方向に向かって漸次小径となるテーパー面が前記流体流通ソケット本体内周面に形成されたテーパー面に更に強く圧接係合し、これにより、接続時における流体流通ソケットと流体流通プラグとのがたつきがより確実に押さえられる。
【０００９】
請求項２に記載の管継手は、請求項１において、前記流体流通プラグ本体の外周に設けられたカバーは、前記流体流通ソケットと前記流体流通プラグとの接続状態で流体流通ソケット本体のスリーブの外周及びこのスリーブの外周に設けられた前記スリーブ付勢スプリングを覆うものであることを特徴とする。
【００１１】
請求項３に記載の発明は、それぞれ内部に流体通路を有して嵌合接続される流体流通ソケットと流体流通プラグとを備えた管継手において、前記流体流通ソケットには機械的に結合されてロック用ソケットが並設され、また、前記流体流通プラグには機械的に結合されて前記ロック用ソケットに嵌合接続されるロック用プラグが並設され、前記流体流通ソケットに前記流体流通プラグを挿入するとともに前記ロック用ソケットにロック用プラグを挿入することにより、前記ロック用ソケットとロック用プラグを介して前記流体流通ソケットと前記流体流通プラグのが接続状態が保持される管継手であって、前記流体流通ソケットに並設された前記ロック用ソケットは筒状のロック用ソケット本体を備え、該ロック用ソケット本体の先端部にはその半径方向に貫通する貫通孔部が設けられ、この貫通孔部にロックボールが径方向に可動自在に収容され、前記ロック用ソケット本体の先端部内周には、カラーが、カラー付勢スプリングによる前進方向への付勢で前進して前進位置にあり、前記ロック用ソケットへ挿入する前記ロック用プラグに押されて後退し、前進位置にあるとき前記ロックボールが求心方向に移動しないようにボールを支え後退により前記ロックボールの支えを解放するように設けられ、前記ロック用ソケット本体の先端部外周にはスリーブがその待機状態ではスリーブ付勢スプリングによる先端方向への移動を前記ロックボールで阻止されて待機位置に存在すると共に、前記ロックボールが求心方向に移動した際には前進移動してその内周面に形成された押圧面で前記ロックボールを押さえ遠心方向への移動を阻止するように設けられて構成され、また、前記流体流通プラグに並設された前記ロック用プラグは筒状のロック用プラグ本体を備え、該ロック用プラグ本体の外周に、前記ロックボールを係合するロックボール係合溝が設けられて構成され、前記ロック用ソケット本体の先端部外周に設けられたスリーブの内周面に形成された押圧面が前進方向に向かって漸次大径となるテーパー面に形成され、また、前記ロック用ソケット本体又はロック用ソケット本体の後部に螺合されたアダプタの内周面には奥方向に向かって漸次小径となるテーパー面が形成され、そして前記ロック用プラグ本体の外周面にはロック用ソケットとの接続時に前記ロック用ソケット本体又はアダプタの内周面に形成されたテーパー面に係合する先端方向に向かって漸次小径となるテーパー面が形成され、更に、前記ロック用ソケット本体のスリーブの外周又はロック用プラグ本体の外周には、前記ロック用ソケットと前記ロック用プラグとの接続状態で前記スリーブの先端外周を覆うカバーが軸方向に摺動自在で且つ回転自在にしかも抜け止め支持されて設けられ、前記カバーの先端内周には雌ネジが設けられ、そして前記ロック用プラグ本体の外周又はロック用ソケット本体のスリーブの外周には前記カバーの前記雌ネジを螺合させる雄ネジが設けられていることを特徴とする。
【００１２】
かかる構成から、流体流通ソケットに流体流通プラグを、そしてロック用ソケットにロック用プラグを挿入すると、流体流通ソケットと流体流通プラグが連通する。同時にロック用ソケットへのロック用プラグの挿入により、前進位置にあるカラーがロック用プラグ本体の先端部で押されて後退しロックボールの支えを解放し、ロック用プラグ本体の外周に形成されたロックボール係合溝がロックボールの位置に達すると、ロックボールが求心方向に移動して前記ロックボール係合溝に係合し、このロックボールの求心方向への移動によりスリーブが前進移動してその内周面に形成された押圧面で前記ロックボールを押さえ遠心方向への移動を阻止し、これにより、ロック用ソケットとロック用プラグとが接続される。そして、この接続時に、前記ロックボールを求心方向に押さえるスリーブの内周面に形成された押圧面が前進方向に向かって漸次大径となるテーパー面に形成されているので、ロックボールは前進方向に付勢されているスリーブの前記テーパー面に形成された押圧面により常に求心方向への押圧を受けた状態にあり、そして、前記ロック用ソケット本体又はアダプタの内周面に形成された奥方向に向かって漸次小径となるテーパー面には前記流体流通プラグ本体の外周面に形成された先端方向に向かって漸次小径となるテーパー面が係合し、これにより、接続時におけるロック用ソケットとロック用プラグとのがたつきが押さえられる。
【００１３】
更に、前記接続後、前記ロック用ソケット本体のスリーブの外周又はロック用プラグ本体の外周に設けられたカバーの内周に設けられた雌ネジと前記ロック用プラグ本体の外周に設けられた雄ネジ又はロック用ソケット本体のスリーブの外周に設けられた雄ネジを螺合し、カバーが抜け止め位置に達するまで螺合すると、スリーブはカバーの螺合を解かない限り後退できず確実な接続状態が得られる。
【００１４】
更に、この状態から更にカバーの螺合を続けると、前記スリーブが先端側に引き寄せられ、これによりロックボールは漸次小径となるスリーブの前記テーパー面に形成された押圧面により更に強く求心方向に押圧されてロック用プラグ本体のロックボール係合溝に強く圧接係合することになり、また、ロック用プラグ本体も相対的に前進方向に押し込まれ、ロック用プラグ本体の外周面に形成されたテーパー面が前記ロック用ソケット本体又はアダプタの内周面に形成されたテーパー面に更に強く圧接係合し、これにより、接続時におけるロック用ソケットとロック用プラグとのがたつきがより確実に押さえられる。
【００１５】
この結果、前記連通した流体流通ソケットと流体流通プラグは、前記接続するロック用ソケットとロック用プラグを介して確実に接続される。このように、この発明では、前記流体流通ソケットと前記流体流通プラグとをロックし接続させるロック手段として、前記ロック用ソケットと前記ロック用プラグとを別に設けているので、前記流体流通ソケットと前記流体流通プラグとの構造を簡略化することができ、コストの低減を図ることができる。
【００１６】
請求項４に記載の管継手は、請求項３において、前記流体流通ソケットと前記ロック用ソケットには壁に取り付けられる固定手段がそれぞれ設けられ、前記流体流通プラグと前記ロック用プラグには水栓に対する連結部材がそれぞれ設けられていることを特徴とする。
【００１７】
かかる構成から、水栓の接続をプラグインによるワンタッチ形式で行うことができ、しかも簡単に接続が外れないようにすることができる。
【００１８】
請求項５に記載の発明は、それぞれ内部に流体通路を有しており相互に位置の変わらないように配置される第１，第２の流体流通ソケットと、内部に流体通路を有しており前記第１，第２の流体流通ソケットと嵌合接続される第１，第２の流体流通プラグとを備えた管継手において、前記第１，第２の流体流通ソケットには機械的に結合されてロック用ソケットが並設され、また、前記第１，第２の流体流通プラグはこれらに跨って取り付けられた支持部材により支持され、そして該支持部材には前記第１，第２の流体流通ソケットに前記第１，第２の流体流通プラグを嵌合接続したとき、前記ロック用ソケットに嵌合接続されるロック用プラグが前記ロック用ソケットに対応させて設けられた管継手であって、前記第１，第２の流体流通ソケットに並設された前記ロック用ソケットは筒状のロック用ソケット本体を備え、該ロック用ソケット本体の先端部にはその半径方向に貫通する貫通孔部が設けられ、この貫通孔部にロックボールが径方向に可動自在に収容され、前記ロック用ソケット本体の先端部内周には、カラーが、カラー付勢スプリングによる前進方向への付勢で前進して前進位置にあり、前記ロック用ソケットへ挿入する前記ロック用プラグに押されて後退し、前進位置にあるとき前記ロックボールが求心方向に移動しないようにボールを支え後退により前記ロックボールの支えを解放するように設けられ、前記ロック用ソケット本体の先端部外周にはスリーブがその待機状態ではスリーブ付勢スプリングによる先端方向への移動を前記ロックボールで阻止されて待機位置に存在すると共に前記ロックボールが求心方向に移動した際には前進移動してその内周面に形成された押圧面で前記ロックボールを押さえ遠心方向への移動を阻止するように設けられて構成され、また、前記第１，第２の流体流通プラグに跨って取り付けられた支持部材に設けられた前記ロック用プラグは筒状のロック用プラグ本体を備え、該ロック用プラグ本体の先端部の外周に、前記ロックボールを係合するロックボール係合溝が設けられて構成され、前記ロック用ソケット本体の先端部外周に設けられたスリーブの内周面に形成された押圧面が前進方向に向かって漸次大径となるテーパー面に形成され、また、前記ロック用ソケット本体又はロック用ソケット本体の後部に螺合されたアダプタの内周面には奥方向に向かって漸次小径となるテーパー面が形成され、そして前記ロック用プラグ本体の外周面にはロック用ソケットとの接続時に前記ロック用ソケット本体又はアダプタの内周面に形成されたテーパー面に係合する先端方向に向かって漸次小径となるテーパー面が形成され、更に、前記ロック用ソケット本体のスリーブの外周又はロック用プラグ本体の外周には、前記ロック用ソケットと前記ロック用プラグとの接続状態で前記スリーブの先端外周を覆うカバーが軸方向に摺動自在で且つ回転自在にしかも抜け止め支持されて設けられ、前記カバーの先端内周には雌ネジが設けられ、そして前記ロック用プラグ本体の外周又はロック用ソケット本体のスリーブの外周には前記カバーの前記雌ネジを螺合させる雄ネジが設けられていることを特徴とする。
【００１９】
かかる構成から、前記第１，第２の流体流通ソケットに前記第１，第２の流体流通プラグを、そしてロック用ソケットにロック用プラグを挿入すると、第１，第２の流体流通ソケットと第１，第２の流体流通プラグが連通する。同時にロック用ソケットへのロック用プラグの挿入により、前進位置にあるカラーがロック用プラグ本体の先端部で押されて後退しロックボールの支えを解放し、ロック用プラグ本体の外周に形成されたロックボール係合溝がロックボールの位置に達すると、ロックボールが求心方向に移動して前記ロックボール係合溝に係合し、このロックボールの求心方向への移動によりスリーブが前進移動してその内周面に形成された押圧面で前記ロックボールを押さえ遠心方向への移動を阻止し、これにより、ロック用ソケットとロック用プラグとが接続される。そして、この接続時に、前記ロックボールを求心方向に押さえるスリーブの内周面に形成された押圧面が前進方向に向かって漸次大径となるテーパー面に形成されているので、ロックボールは前進方向に付勢されているスリーブの前記テーパー面に形成された押圧面により常に求心方向への押圧を受けた状態にあり、そして、前記ロック用ソケット本体又はアダプタの内周面に形成された奥方向に向かって漸次小径となるテーパー面には前記流体流通プラグ本体の外周面に形成された先端方向に向かって漸次小径となるテーパー面が係合し、これにより、接続時におけるロック用ソケットとロック用プラグとのがたつきが押さえられる。
【００２０】
更に、前記接続後、前記ロック用ソケット本体のスリーブの外周又はロック用プラグ本体の外周に設けられたカバーの内周に設けられた雌ネジと前記ロック用プラグ本体の外周に設けられた雄ネジ又はロック用ソケット本体のスリーブの外周に設けられた雄ネジを螺合し、カバーが抜け止め位置に達するまで螺合すると、スリーブはカバーの螺合を解かない限り後退できず確実な接続状態が得られる。
【００２１】
更に、この状態から更にカバーの螺合を続けると、前記スリーブが先端側に引き寄せられ、これによりロックボールは漸次小径となるスリーブの前記テーパー面に形成された押圧面により更に強く求心方向に押圧されてロック用プラグ本体のロックボール係合溝に強く圧接係合することになり、また、ロック用プラグ本体も相対的に前進方向に押し込まれ、ロック用プラグ本体の外周面に形成されたテーパー面が前記ロック用ソケット本体又はアダプタの内周面に形成されたテーパー面に更に強く圧接係合し、これにより、接続時におけるロック用ソケットとロック用プラグとのがたつきがより確実に押さえられる。
【００２２】
この結果、前記連通した第１，第２の流体流通ソケットと第１，第２の流体流通プラグは、前記接続するロック用ソケットとロック用プラグを介して確実に接続される。このように、この発明では、前記第１，第２の流体流通ソケットと前記第１，第２の流体流通プラグとをロックし接続させるロック手段として、前記ロック用ソケットと前記ロック用プラグとを別に設けているので、前記第１，第２の流体流通ソケットと前記第１，第２の流体流通プラグとの構造を簡略化することができ、コストの低減を図ることができる。更に、この発明では、前記ロック用プラグが、前記第１，第２の流体流通プラグに支持された前記支持部材に支持されているので、水栓等に取り付ける場合は水栓等側の構造を簡略化することができて、コストの低減をより一層図ることができる。
【００２３】
請求項６に記載の管継手は、請求項５において、前記第１，第２の流体流通ソケットと前記ロック用ソケットには壁に取り付けられる固定手段がそれぞれ設けられ、前記第１，第２の流体流通プラグには水栓に対する連結部材が設けられていることを特徴とする。
【００２４】
かかる構成から、２つの流体通路を有する対形構造の水栓の接続をプラグイン形式で行うことができ、しかも簡単に接続が外れないようにすることができる。
【００２５】
【発明の実施の形態】
図１〜図４は本発明を水と湯を混合する水栓の接続用として適用した管継手の実施の形態の第１例を示したもので、図１は本例の管継手で用いる第１，第２の流体流通ソケットと第１，第２の流体流通プラグとを示す一部縦断側面図、図２は本例で水栓に対する第１，第２の流体流通プラグの取り付け状態を示す平面図、図３は本例の管継手で第１，第２の流体流通ソケットに第１，第２の流体流通プラグを接続した状態を示す一部縦断側面図、図４は本例の管継手で第１，第２の流体流通ソケットに第１，第２の流体流通プラグを接続して第１，第２のカバーで保護した状態を示す一部縦断側面図である。
【００２６】
図面において、１Ａは第１の流体流通ソケット、１Ｂは第２の流体流通ソケット、２Ａは第１の流体流通プラグ、２Ｂは第２の流体流通プラグであり、第１の流体流通ソケット１Ａと第２の流体流通ソケット１Ｂが、そして第１の流体流通プラグ２Ａと第２の流体流通プラグ２Ｂがそれぞれ同様の構造となっているので、同図において同一の構成には同一の符号を付して説明する。
【００２７】
３は内部に流体通路４を有しているＬ字形に形成された流体流通ソケット本体であり、その先端部に、その半径方向に貫通するテーパー状の貫通孔部５が設けられ手いる。この貫通孔部５にはロックボール６が径方向に可動自在に収容されている。前記流体流通ソケット本体３の先端部内周には、カラー７がその待機状態ではカラー付勢スプリング８の付勢で前進位置にあり前記ロックボール６が求心方向に移動しないように支え、前記第１の流体流通プラグ２Ａと第２の流体流通プラグ２Ｂの先端で奥側に押し込まれたとき後退して前記ロックボール６の支えを解放するように設けられている。前記流体流通ソケット本体３の先端部外周にはスリーブ９がその待機状態ではスリーブ付勢スプリング１０による先端方向への移動を前記ロックボール６で阻止されて待機位置に存在すると共に前記ロックボール６が求心方向に移動した際には前進移動してその内周面に形成された押圧面１１で前記ロックボール６を押さえ遠心方向への移動を阻止するように設けられている。
【００２８】
このスリーブ９の押圧面１１は前進方向に向かって漸次大径となるテーパー面に形成されている。また、スリーブ９の外周には雄ネジ１２が設けられている。また、前記流体流通ソケット本体３の内周面には、奥方向に向かって漸次小径となるテーパー面１３が形成されている。本例では、テーパー面１３は流体流通ソケット本体３の先端部内周に形成されている。また、流体流通ソケット本体３の先端部には、スリーブ９の抜け出しを阻止するストップリング１４が設けられている。
【００２９】
前記流体流通ソケット本体３内には、弁体１５がその待機時に流体通路４内に設けた弁受部材１６に形成した弁座１６ａにＯリング１７を介して水密に当接して該流体通路４閉じ且つ第１，第２の流体流通プラグ２Ａ，２Ｂの挿入時にはその先端部で押されて弁座１６ａから離れて流体通路４を開くように設けられている。弁受部材１６は環状をなしていてその外周に流体流通ソケット本体３の内周を密封するＯリング１８ａが組み込まれ、受け部材１９により固定されている。該弁受部材１６の内周には前記液体流通ソケット本体３内に後述する流体流通プラグ本体を挿着させた時に密封するＯリング１８ｂが組み込まれている。弁体１５は、弁体付勢スプリング２０により弁座１６ａに当接する方向に付勢されている。
【００３０】
２１は内部に流体通路２２を有している筒状の流体流通プラグ本体であり、その先端部の外周に、前記ロックボール６を係合するロックボール係合溝２３が設けられている。
【００３１】
前記流体流通プラグ本体２１の外周には、前記第１，第２の流体流通ソケット１Ａ，１Ｂと前記第１，第２の流体流通プラグ２Ａ，２Ｂとの接続状態で第１，第２の流体流通ソケット１Ａ，１Ｂのスリーブ９の外周を覆うカバー２４が軸方向に摺動自在で且つ回転自在にしかもストップリング２５で抜け止めされて設けられている。このカバー２４の内周には前記流体流通ソケット本体３のスリーブ９の外周に設けられた雄ネジ１２と螺合する雌ネジ２６が設けられている。
【００３２】
また、前記流体流通プラグ本体２１の外周面には流体流通ソケット１Ａ，１Ｂとの接続時に前記流体流通ソケット本体３の内周面に形成されたテーパー面１３に係合する先端方向に向かって漸次小径となるテーパー面２７が形成されている。
【００３３】
前記のように構成される第１，第２の流体流通ソケット１Ａ，１Ｂは風呂場等の据え付け場所の壁２８の内側に配置され、該壁２８に所定間隔で設けられた孔２９から先端部とその外周のスリーブ９側が該壁２８の外側に導出され、流体流通ソケット本体３の外周に設けられた一方の固定手段としてのネジ部３０に他方の固定手段としての固定ナット３１を螺合して締め付けることにより取付けられるようになっている。
【００３４】
また、前記流体流通プラグ本体２１の基端には、フランジ３２で抜け止めされて水湯混合用水栓３３に対する連結部材としてのナット３４が回転自在に設けられている。これらナット３４を水湯混合用水栓３３のボルト部に螺合することにより、第１，第２の流体流通プラグ２Ａ，２Ｂは水湯混合用水栓３３に連結されている。
【００３５】
このような構造の管継手においては、第１，第２の流体流通ソケット１Ａ，１Ｂと第１，第２の流体流通プラグ２Ａ，２Ｂとを向かい合わせにして、流体流通ソケット本体３の先端部に流体流通プラグ本体２１の先端部を挿入する。この流体流通プラグ本体２１の挿入により、前進位置にあるカラー７が流体流通プラグ本体２１の先端部で押されて後退しロックボール６の支えを解放する。流体流通プラグ本体２１の外周に形成されたロックボール係合溝が２３ロックボール６の位置に達すると、ロックボール６が求心方向に移動して前記ロックボール係合溝２３に係合する。このロックボール６の求心方向への移動によりスリーブ付勢スプリング１０の付勢によりスリーブ９が前進移動してその内周面に形成された押圧面１１で前記ロックボール６を押さえ遠心方向への移動を阻止する。これにより、第１，第２の流体流通ソケット１Ａ，１Ｂと第１，第２の流体流通プラグ２Ａ，２Ｂとが接続される。
【００３６】
そして、この接続時に、前記ロックボール６を求心方向に押さえるスリーブ９の内周面に形成された押圧面１１が前進方向に向かって漸次大径となるテーパー面に形成されているので、ロックボール６は前進方向に付勢されているスリーブ９の前記テーパー面となっている押圧面１１により常に求心方向への押圧を受けた状態にあり、そして、前記流体流通ソケット本体３の内周面に形成された奥方向に向かって漸次小径となるテーパー面１３には前記流体流通プラグ本体２１の外周面に形成された先端方向に向かって漸次小径となるテーパー面２７が係合し、これにより、接続時における流体流通ソケット１Ａ，１Ｂと流体流通プラグ２Ａ，２Ｂとのがたつきが押さえられる。
【００３７】
更に、前記接続後、前記流体流通プラグ本体３の外周に設けられたカバー２４を前記流体流通ソケット本体３のスリーブ９に押し当てて該カバー２４の内周に設けられた雌ネジ２６と前記流体流通ソケット本体３のスリーブ９の外周に設けられた雄ネジ１２を螺合し、カバー２４がストップリング２５に係止するまで螺合すると、前記スリーブ９はカバー２４によって覆われて保護され、そしてスリーブ９はカバー２４の螺合を解かない限り後退できず確実な接続状態が得られる。更に、この状態から更にカバー２４の螺合を続けると、前記スリーブ９が先端側に引き寄せられ、これによりロックボール６は漸次小径となるスリーブ９の前記テーパー面に形成された押圧面１１により更に強く求心方向に押圧されて流体流通プラグ本体２１のロックボール係合溝２３に強く圧接係合することになる。また、流体流通プラグ本体２１も相対的に前進方向に押し込まれ、流体流通プラグ本体２１の外周面に形成された先端方向に向かって漸次小径となるテーパー面２７が前記流体流通ソケット本体３の内周面に形成されたテーパー面１３に更に強く圧接係合し、これにより、接続時における流体流通ソケット１Ａ，１Ｂと流体流通プラグ２Ａ，２Ｂとのがたつきがより確実に押さえられる。
【００３８】
また、接続した流体流通ソケット１Ａ，１Ｂと流体流通プラグ２Ａ，２Ｂを分離する場合は、前記カバー２４の螺合を解き、このカバー２４を流体流通ソケット１Ａ，１Ｂ側へ押し、ロックボール６を押圧しているスリーブ９を後退させてロックボール６を解放することにより行える。
【００３９】
なお、本例では流体流通ソケット本体３内に、弁体１５が設けられているが、弁対１５が設けられていなくてもよい。
【００４１】
図５〜図７は本発明を水と湯を混合する水栓の接続用として適用した管継手の実施の形態の第２例を示したもので、図５は本例の管継手で用いる第１，第２の流体流通ソケットと第１，第２の流体流通プラグ及びロック用ソケットとロック用プラグとを示す一部縦断側面図、図６は本例で水栓に対する第１，第２の流体流通プラグとロック用プラグとの取り付け状態を示す平面図、図７は本例の管継手で第１，第２の流体流通ソケットに第１，第２の流体流通プラグを挿入し、且つロック用ソケットにロック用プラグを挿入してカバーで保護した状態を示す一部縦断面図である。
【００４２】
図面において、３５Ａは第１の流体流通ソケット、３５Ｂは第２の流体流通ソケット、３６Ａは第１の流体流通プラグ、３６Ｂは第２の流体流通プラグであり、第１の流体流通ソケット３５Ａと第２の流体流通ソケット３５Ｂが、そして第１の流体流通プラグ３６Ａと第２の流体流通プラグ３６Ｂがそれぞれ同様の構造となっているので、同図において同一の構成には同一の符号を付して説明する。
【００４３】
それぞれ内部に流体通路５７を有する第１，第２の流体流通ソケット３５Ａ，３５Ｂは、風呂場等の据え付け場所の壁３７の内側に配置され、該壁３７に所定間隔で設けられた孔３８からその先端部側が該壁３７の外側に導出され、第１，第２の流体流通ソケット３５Ａ，３５Ｂの外周に設けられた一方の固定手段としてのネジ部７３に他方の固定手段としての固定ナット３９を螺合して締め付けることにより取付けられるようになっている。
【００４４】
この第１，第２の流体流通ソケット３５Ａ，３５Ｂには壁３７で機械的に結合されてロック用ソケット４０が並設されている。該ロック用ソケット４０は筒状のロック用ソケット本体４１を備え、該ロック用ソケット本体４１の先端部にはその半径方向に貫通するテーパー状の貫通孔部４２が設けられ、この貫通孔部４２にロックボール４３が径方向に可動自在に収容されている。
【００４５】
前記ロック用ソケット本体４１の先端部内周にはカラー４４がカラー付勢スプリング４５の付勢で前進位置にあるとき前記ロックボール４３が求心方向に移動しないようにボールを支え後退して前記ロックボール４３の支えを解放するように設けられている。前記ロック用ソケット本体４１の先端部外周にはスリーブ４６がその待機状態ではスリーブ付勢スプリング４７による先端方向への移動を前記ロックボール４３で阻止されて待機位置に存在すると共に、前記ロックボール４３が求心方向に移動した際には前進移動してその内周面に形成された押圧面４８で前記ロックボール４３を押さえ遠心方向への移動を阻止するように設けられている。
【００４６】
このスリーブ４６の押圧面４８は前進方向に向かって漸次大径となるテーパー面に形成されている。また、スリーブ４６の外周には、ロック用ソケット４０と後述するロック用プラグとの接続状態で前記スリーブ４６の先端外周を覆うカバー４９が軸方向に摺動自在で且つ回転自在にしかもストップリング５０により抜け止め支持されて設けらている。前記カバー４９の先端内周には雌ネジ５１が設けられている。
【００４７】
また、前記ロック用ソケット本体４１の後方には前記カラー付勢スプリング４５を保持するアダプタ５２が螺合されており、該アダプタ５２の内周面には、奥方向に向かって漸次小径となるテーパー面５２ａが形成されている。本例では、テーパー面５２ａはアダプタ５２の内周に形成されているが、ロック用ソケット本体４１の先端部内周に形成してもよい。この場合は、後述するロック用プラグに形成されるテーパー面はロックボール係合溝の後方となる。
【００４８】
また、ロック用ソケット本体４１の先端部には、スリーブ４６の抜け出しを阻止するストップリング５３が設けられている。
【００４９】
かかる構成からなるロック用ソケット４０は、壁３７の内側に配置され、該壁３７に設けられた孔５４からその先端部が該壁３７の外側に導出され、ロック用ソケット本体４１の外周に設けられた一方の固定手段としてのネジ部５５に他方の固定手段としての固定ナット５６を螺合して締め付けることにより取付けられるようになっている。
【００５０】
前記第１，第２の流体流通ソケット３５Ａ，３５Ｂに嵌合接続する第１，第２の流体流通プラグ３６Ａ，３６Ｂの先端部外周には、第１，第２の流体流通ソケット３５Ａ，３５Ｂの内周面に摺接し液密的にシールするＯリング５８が設けられている。
【００５１】
第１，第２の流体流通プラグ３６Ａ，３６Ｂの基端には、フランジ５９で抜け止めされて水湯混合用水栓６０に対する連結部材としてのナット６１が回転自在に設けられている。これらナット６１を水湯混合用水栓６０のボルト部に螺合することにより、第１，第２の流体流通プラグ３６Ａ，３６Ｂは水湯混合用水栓６０に連結されている。
【００５２】
第１，第２の流体流通プラグ３５Ａ，３５Ｂの間には、水湯混合用水栓２２を介して機械的に結合されてロック用プラグ６２が並設されている。このロック用プラグ６２は筒状のロック用プラグ本体６３を備え、該ロック用プラグ本体６３の外周に、前記ロックボール４３を係合するロックボール係合溝６４が設けられている。
【００５３】
前記ロック用プラグ本体６３の外周には、前記ロック用ソケット本体４１のスリーブ４６の外周に設けられたカバー４９の雌ネジ５１を螺合させる雄ネジ６５が設けられている。また、前記ロック用プラグ本体６３の先端部外周面にはロック用ソケット４０との接続時に前記ロック用ソケット本体４１の後方に螺合されたアダプタ５２の内周面に形成されたテーパー面５２ａに係合するテーパー面６６が形成されている。
【００５４】
ロック用プラグ本体６３の基端には、フランジ６７で抜け止めされて水湯混合用水栓６０に対する連結部材としてのナット６８が回転自在に設けられている。このナット６８を水湯混合用水栓６０のボルト部に螺合することにより、ロック用プラグ６２は水湯混合用水栓６０に連結されている。
【００５５】
このような構造の管継手においては、図５に示すように第１，第２の流体流通ソケット３５Ａ，３５Ｂと第１，第２の流体流通プラグ３６Ａ，３６Ｂとを向かい合わせにし、且つロック用ソケット４０とロック用プラグ６２とを向かい合わせにして、第１，第２の流体流通ソケット３５Ａ，３５Ｂ内に第１，第２の流体流通プラグ３６Ａ，３６Ｂの先端部を挿入し、且つロック用ソケット本体４１内にロック用プラグ本体６３の先端部を挿入する。
【００５６】
第１，第２の流体流通ソケット３５Ａ，３５Ｂと第１，第２の流体流通プラグ３６Ａ，３６Ｂにおいては、第１，第２の流体流通ソケット３５Ａ，３５Ｂの先端部内周と第１，第２の流体流通プラグ３６Ａ，３６Ｂ先端部外周がＯリング５８でシールされて双方の流体通路５７が連通状態になる。
【００５７】
一方、ロック用ソケット４０とロック用プラグ６２においては、ロック用ソケット４０へのロック用プラグ６２の挿入により、前進位置にあるカラー４４がロック用プラグ本体６３の先端部で押されて後退しロックボール４３の支えを解放する。
【００５８】
ロック用プラグ本体６３の外周に形成されたロックボール係合溝６４がロックボール４３の位置に達すると、ロックボール４３が求心方向に移動して前記ロックボール係合溝６４に係合する。このロックボール４３の求心方向への移動によりスリーブ４６が前進移動してその内周面に形成された押圧面４８で前記ロックボール４３を押さえ遠心方向への移動を阻止し、これにより、ロック用ソケット４０とロック用プラグ６２とが接続される。そして、この接続時に、前記ロックボール４３を求心方向に押さえるスリーブ４６の内周面に形成された押圧面１１が前進方向に向かって漸次大径となるテーパー面となっているので、ロックボール４３は前進方向に付勢されているスリーブ４６の前記テーパー面となっている押圧面１１により常に求心方向への押圧を受けた状態にあり、そして、前記ロック用ソケット本体４１の後方に螺合されたアダプタ５２の内周面に形成された奥方向に向かって漸次小径となるテーパー面５２ａには前記流体流通プラグ本体６３の先端部外周面に形成されたテーパー面６６が係合し、これにより、接続時におけるロック用ソケット４０とロック用プラグ６２とのがたつきが押さえられる。
【００５９】
更に、前記接続後、前記ロック用ソケット本体４１のスリーブ４６の外周に設けられたカバー４９の内周に設けられた雌ネジ５１と前記ロック用プラグ本体６３の外周に設けられた雄ネジ６５を螺合し、カバー４９がストップリング５０に係止して抜け止めが阻止される位置に達するまで螺合すると、スリーブ４６はカバー４９の螺合を解かない限り後退できず確実な接続状態が得られる。
【００６０】
更に、この状態から更にカバー４９の螺合を続けると、前記スリーブ４６が先端側に引き寄せられ、これによりロックボール４３は漸次小径となるスリーブ４６の前記テーパー面となっている押圧面１１により更に強く求心方向に押圧されてロック用プラグ本体６３のロックボール係合溝６４に強く圧接係合することになり、また、ロック用プラグ本体６３も相対的に前進方向に押し込まれ、ロック用プラグ本体６３の先端部外周面に形成されたテーパー面６６が前記アダプタ５２の内周面に形成されたテーパー面５２ａに更に強く圧接係合し、これにより、接続時におけるロック用ソケット４０とロック用プラグ６２とのがたつきがより確実に押さえられる。
【００６１】
この結果、前記連通した流体流通ソケット３５Ａ，３５Ｂと流体流通プラグ３６Ａ，３６Ｂは、前記接続するロック用ソケット４０とロック用プラグ６２を介して確実に接続される。このように、本例では、前記流体流通ソケット３５Ａ，３５Ｂと流体流通プラグ３６Ａ，３６Ｂとをロックし接続させるロック手段として、前記ロック用ソケット４０と前記ロック用プラグ６２とを別に設けているので、前記流体流通ソケット３５Ａ，３５Ｂと流体流通プラグ３６Ａ，３６Ｂとの構造を簡略化することができ、コストの低減を図ることができる。
【００６２】
なお、本例では流体流通ソケット３５Ａ，３５Ｂ内に、弁体が設けられていないが、弁対が設けてあってもよい。
【００６３】
また、ロック用ソケット４０とロック用プラグ６２との接続状態で前記スリーブ４６の先端外周を覆うカバー４９がスリーブ４６の外周に設けられ、前記ロック用プラグ本体６３の外周には、前記ロック用ソケット本体４１のスリーブ４６の外周に設けられたカバー４９の雌ネジ５１を螺合させる雄ネジ６５が設けられているが、カバー４９がロック用プラグ本体６２の外周に設けられ、スリーブ４６の外周に雄ネジ５１が設けられていてもよい（前記本発明の実施の形態の第１例を援用し、図示を省略する。）。
【００６４】
図８は本発明を水と湯を混合する水栓の接続用として適用した管継手の実施の形態の第３例で水栓に対する第１，第２の流体流通プラグとロック用プラグとの取り付け状態を示す平面図である。
【００６５】
本例の管継手は、前述した第２例の変形例であって、第１，第２の流体流通プラグ３６Ａ，３６Ｂにはこれらに跨がって金属板からなる支持部材６９の両端が嵌め込まれて固定手段としてのナット７０で固定されている。この支持部材６９にロック用ソケット４０に対応させてロック用プラグ６２が固定されている。支持部材６９に対するロック用プラグ６２の固定は、支持部材６９に設けられた孔７１にロック用プラグ本体６３を嵌めて、そのフランジ６７と雄ネジ６５に螺合したナット７２で締結することにより行われている。その他の構成は、前述した第２例と同様になっている。
【００６６】
このような構造の管継手においては、ロック用プラグ６２が、第１，第２の流体流通プラグ３６Ａ，３６Ｂに支持された支持部材６９に支持されているので、水湯混合用水栓６０等に取り付ける場合は水湯混合用水栓６０等側の構造を簡略化することができて、コストの低減をより一層図ることができる。
【００６７】
上記例では、２個の流体流通ソケットを対として用いる例について示したが、１個の流体流通ソケットの場合でも本発明は実施可能である。
【００６８】
上記第１例乃至第３例はいずれも本発明を水と湯を混合する水栓の接続用として適用した管継手の実施の形態を示すものであるが、これ以外の流体流通用の管継手として使用できることはもちろんのこと、流体流通ソケットの後端側開口部を閉じることにより、盲栓としても使用することができる。
【００６９】
【発明の効果】
以上のように本発明に係る管継手によれば、流体流通ソケットと流体流通プラグとがプラグインによるワンタッチで接続されるので、簡単にしかも短時間に能率よく接続作業を行うことができ、接続時のがたつきが押さえられ、しかも簡単に接続が外れないように保護することができ、これを水栓の接続に使用することにより、従来の水栓の接続手段に比べ簡単にしかも短時間に能率よく接続作業を行うことができる。
【図面の簡単な説明】
【図１】本発明を水と湯を混合する水栓の接続用として適用した管継手の実施の形態の第１例で用いる第１，第２の流体流通ソケットと第１，第２の流体流通プラグとを示す一部縦断側面図である。
【図２】この第１例で水栓に対する第１，第２の流体流通プラグの取り付け状態を示す平面図である。
【図３】この第１例の管継手で第１，第２の流体流通ソケットに第１，第２の流体流通プラグを接続した状態を示す一部縦断側面図である。
【図４】この第１例の管継手で第１，第２の流体流通ソケットに第１，第２の流体流通プラグを接続してカバーで保護した状態を示す一部縦断側面図である。
【図５】本発明を水と湯を混合する水栓の接続用として適用した管継手の実施の形態の第２例で用いる第１，第２の流体流通ソケットと第１，第２の流体流通プラグ及びロック用ソケットとロック用プラグとを示す一部縦断側面図である。
【図６】この第２例で水栓に対する第１，第２の流体流通プラグとロック用プラグとの取り付け状態を示す平面図である。
【図７】この第２例の管継手で第１，第２の流体流通ソケットに第１，第２の流体流通プラグを接続し、且つロック用ソケットにロック用プラグを接続してカバーで保護した状態を示す一部縦断面図である。
【図８】本発明を水と湯を混合する水栓の接続用として適用した管継手の実施の形態の第３例で水栓に対する第１，第２の流体流通プラグとロック用プラグとの取り付け状態を示す平面図である。
【符号の説明】
１Ａ    第１の流体流通ソケット
１Ｂ    第２の流体流通ソケット
２Ａ    第１の流体流通プラグ
２Ｂ    第２の流体流通プラグ
３      流体流通ソケット本体
４      流体通路
５      貫通孔部
６      ロックボール
７      カラー
８      カラー付勢スプリング
９      スリーブ
１０    スリーブ付勢スプリング
１１    押圧面
１２    雄ネジ
１３    テーパー面
１４    ストップリング
１５    弁体
１６    弁受部材
１６ａ  弁座
１７    Ｏリング
１８ａ  Ｏリング
１８ｂ  Ｏリング
１９    受け部材
２０    弁体付勢スプリング
２１    流体流通プラグ本体
２２    流体通路
２３    ロックボール係合溝
２４    カバー
２５    ストップリング
２６    雌ネジ
２７    テーパー面
２８    壁
２９    孔
３０    ネジ部
３１    固定ナット
３２    フランジ
３３    水湯混合用水栓
３４    ナット
３５Ａ  第１の流体流通ソケット
３５Ｂ  第２の流体流通ソケット
３６Ａ  第１の流体流通プラグ
３６Ｂ  第２の流体流通プラグ
３７    壁
３８    孔
３９    固定ナット
４０    ロック用ソケット
４１    ロック用ソケット本体
４２    貫通孔部
４３    ロックボール
４４    カラー
４５    カラー付勢スプリング
４６    スリーブ
４７    スリーブ付勢スプリング
４８    押圧面
４９    カバー
５０    ストップリング
５１    雌ネジ
５２    アダプタ
５２ａ  テーパー面
５３    ストップリング
５４    孔
５５    ネジ部
５６    固定ナット
５７    流体通路
５８    Ｏリング
５９    フランジ
６０    水湯混合用水栓
６１    ナット
６２    ロック用プラグ
６３    ロック用プラグ本体
６４    ロックボール係合溝
６５    雄ネジ
６６    テーパー面
６７    フランジ
６８    ナット
６９    支持部材
７０    ナット
７１    孔
７２    ナット
７３    ネジ部
【図１】
0004294769.tif 000002
【図２】
0004294769.tif 000003
【図３】
0004294769.tif 000004
【図４】
0004294769.tif 000005
【図５】
0004294769.tif 000006
【図６】
0004294769.tif 000007
【図７】
0004294769.tif 000008
【図８】
0004294769.tif 000009